(57)【要約】【課題】  購入した商品情報を専用サーバーから携帯電話に送信し、携帯電話に個人が所有する商品情報を保管し、更にその商品情報を利用し、その他商品購入の支援を行う購入サポートシステムを提供する。【解決手段】  本発明はネットワークを介して情報の授受を行うことの出来る携帯電話と複数の商品の画像情報をデータベースとして記憶、保管可能なサーバーから構成され、商品に取付けられた２次元コードを利用して、サーバーへ接続して商品の画像及び商品情報を携帯電話にダウンロードし、インデックスを付けてダウンロードした情報を携帯電話に保管し、いつでも携帯電話で自分の所有する品物の情報を見る事が出来るようにする。更に、携帯電話からパソコンにデータを送り、次に購入を希望する商品選びに携帯電話に保管された情報を活用出来るようにする。【選択図】      図１
2009277173.tif 000002
【特許請求の範囲】
【請求項１】
ネットワークを介して情報の授受を行うことの出来る携帯電話と複数の商品の画像、及び情報をデータベースとして記憶、保管可能なサーバーから構成され、購入済商品に取付けられた２次元コードを前記携帯電話で読み取り、商品データを記憶するサーバーへ接続して商品の画像及び商品情報を前記サーバーから前記携帯電話にダウンロードし、前記商品の画像及びデータを複数のカテゴリーに分け、記憶、保管し、必要に応じ検索し、前記携帯電話の画面に、商品の画像及びデータを表示可能とした事を特徴とする携帯電話による商品情報保管、検索システム。
【請求項２】
ネットワークを介して情報の授受を行うことの出来る携帯電話と複数の商品の画像情報をデータベースとして記憶、保管可能なサーバーから構成され、商品情報を記憶する前記サーバーへ接続して商品の画像及び商品情報を前記サーバーから前記携帯電話にダウンロードし、通信機能、又は記憶媒体を用いて携帯電話が持つ前記商品の画像データをパーソナルコンピュータに移し、更に、前記パーソナルコンピュータで記憶し、移された前記画像データと前記パーソナルコンピュータの有する複数の画像データを前記パーソナルコンピュータの画面で画像の組み合わせを行う事を特徴とする商品購入支援システム。
【請求項３】
請求項２記載の商品購入支援システムに於いて、前記商品の画像情報には前記商品と一緒に基準寸法を表する基準物を入れて撮影し、パーソナルコンピュータで複数の商品を同じ縮尺で組み合わせ表示を行う際、各画像データ内に基準物の寸法が同じになるよう前記画像データの表示寸法を縮小、又は拡大し、商品組み合わせが行える様、前記パーソナルコンピュータ内で画像データの表示寸法調整機能を有する事を特徴とする商品購入支援システム。
【請求項４】
請求項２記載の商品購入支援システムに於いて、前記パーソナルコンピュータ内で、商品組み合わせを行った結果の画像データを前記サーバーに送信し、前記携帯電話に登録されたメールアドレスを用い、前記サーバーにアクセスすることを依頼するメール情報を発信することを特徴とする商品購入支援システム。
【請求項５】
請求項２記載の商品購入支援システムに於いて、前記メール受信者に前記サーバーにアクセスして、記憶された前記商品画像データを閲覧し、前記メール受信者の見解を、前記携帯電話を用いて、再度連絡してもらう事を特徴とする商品購入支援システム。
【請求項６】
請求項１記載の携帯電話による商品情報保管、検索システムに於いて、前記携帯電話の保有者が前記商品の画像及びデータと一緒に、前記保有者が商品情報を新たに追加記憶可能とした事を特徴とする携帯電話による商品情報保管、検索システム。
【請求項７】
購入した商品と携帯電話より構成され、前記商品を前記携帯電話の有するカメラ機能で撮影、記憶し、前記商品の画像及びデータを複数のカテゴリーに分け、記憶、保管し、必要に応じ検索し、前記携帯電話の画面に、商品の画像及びデータを表示可能とした事を特徴とする携帯電話による商品情報保管、検索システム。
【発明の詳細な説明】
【技術分野】
【０００１】
本発明は、購入した商品情報を専用サーバーから携帯電話に送り、携帯電話に個人が所有する商品情報を保管し、更にその商品情報を利用し、その他商品購入の支援を行う購入サポートシステムに関する。
【背景技術】
【０００２】
近年の携帯電話機能の向上とインターネットを代表するＩＴ技術の進歩により、携帯電話を利用して、どこでも、種々の情報を入手したい人が増えている。又、多くの商品をＩＴを使って購入したり、選択したりする人も増えている。
【０００３】
特許文献１には、携帯電話を利用し、商品を扱う販売店の販売管理用サーバーにアクセスして、オンラインショッピングを行うのに必要な商品情報をサーバーから携帯電話に送信させることが提案されている。更に、携帯電話の液晶画面では商品情報を評価するには画面が小さ過ぎるので、携帯電話に送信済みのデータを携帯電話からパソコンやテレビへ送り、携帯電話より大きなディスプレーで商品情報を表示することが可能となっている。
【０００４】
又、特許文献２には、書籍をインターネットを利用して購入する際、書籍情報とユーザー情報を書籍管理サーバーに蓄積し、携帯電話から利用者が書籍管理サーバーに２次元コードなどを携帯電話などで撮影し、アクセス可能とし、書籍管理サーバーから書籍のレビュー情報、書籍を特徴付ける画像データを携帯電話にダウンロードする事が述べられている。更に、受信した書籍情報を他の利用者端末にも送信可能とする書籍購入支援システムが提案されている。
【０００５】
【特許文献１】特開２００７−３２３１６９号公報
【特許文献２】特開２００７−７４２６５号公報
【発明の開示】
【発明が解決しようとする課題】
【０００６】
インターネットを活用して、オンラインショッピングを行うための、支援システムは種々提案されているが、購入した商品の情報を、次の商品購入に活用するための、支援システムに付いては今までの考案では、具体的に提案されていない。各個人がオンラインショッピング、通常の商店での購入など、購入方法に限定されず、購入済みの商品情報を携帯端末にダウンロードして、次の商品購入時、購入済みの商品データを活用できる携帯電話による商品情報保管、検索システムと商品購入支援システムを提供する。
【０００７】
更に、購入済みの商品データを携帯電話にダウンロード後、パソコンを活用して、複数の商品を一つの画面上で、組み合わせを行い最適な組み合わせになるような商品コーディネートを支援するシステムを提供する。
【課題を解決するための手段】
【０００８】
請求項１に係わる発明は、ネットワークを介して情報の授受を行うことの出来る携帯電話と複数の商品の画像、及び情報をデータベースとして記憶、保管可能なサーバーから構成され、購入済商品に取付けられた２次元コードを前記携帯電話で読み取り、商品データを記憶するサーバーへ接続して商品の画像及び商品情報を前記サーバーから前記携帯電話にダウンロードし、前記商品の画像及びデータを複数のカテゴリーに分け、記憶、保管し、必要に応じ検索し、前記携帯電話の画面に、商品の画像及びデータを表示可能とした事を特徴とする携帯電話による商品情報保管、検索システムを提供するものである。
【０００９】
請求項２に係わる発明は、ネットワークを介して情報の授受を行うことの出来る携帯電話と複数の商品の画像情報をデータベースとして記憶、保管可能なサーバーから構成され、商品情報を記憶する前記サーバーへ接続して商品の画像及び商品情報を前記サーバーから前記携帯電話にダウンロードし、通信機能、又は記憶媒体を用いて携帯電話が持つ前記商品の画像データをパーソナルコンピュータに移し、更に、前記パーソナルコンピュータで記憶し、移された前記画像データと前記パーソナルコンピュータの有する複数の画像データを前記パーソナルコンピュータの画面で画像の組み合わせを行う事を特徴とする商品購入支援システムを提供するものである。
【００１０】
請求項３に係わる発明は、前記商品の画像情報には前記商品と一緒に基準寸法を表する基準物を入れて撮影し、パーソナルコンピュータで複数の商品を同じ縮尺で組み合わせ表示を行う際、各画像データ内に基準物の寸法が同じになるよう前記画像データの表示寸法を縮小、又は拡大し、商品組み合わせが行える様、前記パーソナルコンピュータ内で画像データの表示寸法調整機能を有する事を特徴とする請求項２記載の商品購入支援システムを提供するものである。
【００１１】
請求項４に係わる発明は、前記パーソナルコンピュータ内で、商品組み合わせを行った結果の画像データを前記サーバーに送信し、前記携帯電話に登録されたメールアドレスを用い、前記サーバーにアクセスすることを依頼するメール情報を発信することを特徴とする請求項２記載の商品購入支援システムを提供するものである。
【００１２】
請求項５に係わる発明は、前記メール受信者に前記サーバーにアクセスして、記憶された前記商品画像データを閲覧し、前記メール受信者の見解を、前記携帯電話を用いて、再度連絡してもらう事を特徴とする請求項２記載の商品購入支援システムを提供するものである。
【００１３】
請求項６に係わる発明は、前記携帯電話の保有者が前記商品の画像及びデータと一緒に、前記保有者が商品情報を新たに追加記憶可能とした事を特徴とする請求項１記載の携帯電話による商品情報保管、検索システムを提供するものである。
【００１４】
請求項７に係わる発明は、購入した商品と携帯電話より構成され、前記商品を前記携帯電話の有するカメラ機能で撮影、記憶し、前記商品の画像及びデータを複数のカテゴリーに分け、記憶、保管し、必要に応じ検索し、前記携帯電話の画面に、商品の画像及びデータを表示可能とした事を特徴とする携帯電話による商品情報保管、検索システムを提供するものである。
【発明の効果】
【００１５】
請求項１により、日常生活の多くの時間、使用可能な場所に有る携帯電話内に自分で購入した商品の画像他の情報を記憶させておく事は、街での商品購入や、オンラインショッピングのどちらの場合でも、既に自分が所有する品物の商品情報を確認した上で、新たに購入する商品が適当であるかどうかを、判断するのに必要な情報を提供する事が可能となる。
【００１６】
請求項２により、新たの購入する商品を品定めするのに、現在所有する品物との組み合わせが適当かどうか、実際に所有する商品が無い場合でも、商品組み合わせがバーチャル的手段により可能とする。携帯電話内に記憶された商品画像データをパソコンへ移し、新たに購入を検討している商品の画像データもパソコン画面に取り込み、同一の縮尺で商品組み合わせシミュレーションが可能となる。組み合わせ結果をパソコンやテレビのより大きなディスプレーで確認が可能となる。
【発明を実施するための最良の形態】
【００１７】
図１により、以下このシステムの具体的実施例に付いて説明する。各個人が持つ携帯電話１、携帯電話１に挿入し携帯電話の記憶をダウンロード可能なメモリーカード１−２、商店に置かれたパーソナルコンピュータ（以下パソコンと称する）２、パソコン２とデータ通信可能な大型ディスプレー３が存在する。携帯電話１とパソコン２はインターネット５と接続されている。又、インターネット５を介して、商品管理サーバー６と繋がっていて、商品管理サーバー６は商品画像データベース６−１と商品情報データベース６−２を有している。
【００１８】
商品は販売する商店の店頭、オンラインショッピングのホームページで紹介される前に、商品の写真と商品に関するデータを商品管理サーバー６に記憶させておく。
又、インターネットと繋がった知人の携帯電話４が複数個ある。以上がインターネット５を介したシステム構成である。
【００１９】
図２により、このシステムの流れに付いて説明する。
まず個人は商品７を購入すると、図３に示すように、商品７に取付けられた商品タグ８を商品7から外し、商品タグ８のシール８−２を剥がして２次元コード８−１を出し、ステップＴ−１の様に、携帯電話１にて２次元コード８−１を読み取る。２次元コード８−１から商品管理サーバー６にアクセル出来る様なＵＲＬ（Uniform Resource Locatorの略）を読み出し、ステップＴ−２の様に、インターネット５を介して商品管理サーバー６にアクセスする。更に、商品購入者のみが商品管理サーバー６にアクセス可能なような、パスワードも２次元コード８−１も組み込まれていると良い。
【００２０】
ステップＳ−２の様に、インターネット５を介して自分が購入した商品７の商品画像データを商品画像データベース６−１から、商品情報を商品情報データベース６−２から情報を引き出し、商品管理サーバー６から携帯電話１へ送信する。インターネット５を介して送信された情報をステップＴ−２の様に、携帯電話１にダウンロードする。
【００２１】
図３に示す商品７には２次元コード８−１が印刷され、商品購入者がシール８−２を剥がすまで、２次元コード８−１を見えないようにしている。これは、商品購入者だけが商品管理サーバー６にアクセル出来る権利を保障する為である。もし、購入者以外に容易に商品情報を入手することが出来た場合、購入することにより、獲得出来る権利では無くなり、購入の満足感が少なくなるからである。
【００２２】
購入者が自分の携帯電話１にダウンロードした商品情報はステップＴ−４の様に、携帯電話１内のメモリーに記憶される。この記憶を行う際、この購入した商品情報を次に活用し易くする為、携帯電話１内の記憶、保管を行う部分に、図４に示す様に、インデックスを設けておく。まず商品の名称で分類し、次に商品を購入した年月などで分類し、更に細かく分類する場合には、衣類等、身に付ける物であれば、使用する季節などで更に分類する。次に、商品情報を見たい場合には、携帯電話１のメニューから商品情報インデックスを開き、コントローラー１−２で見たい商品の、名称や購入年などから選ぶことが出来る。基本的には、携帯電話１に組み込まれている電話帳と同じ仕組みである。
【００２３】
検索結果、図５の（ａ）に示す様な、購入済み商品７の画像情報が携帯電話１の液晶画面１−１に商品画像７−１として表示される。更にこの購入済み商品７の詳しい情報を知りたい場合は、液晶画面１−１の詳しいデータを選択し、画面を（ｂ）に切り替える。画面（ｂ）には画面（ａ）の商品７の詳細情報が、商品情報データベース６−２から送られ、表示される。商品情報データベース６−２では持っていない情報は、購入者が携帯電話１のテンキーから入力することが出来る。
【００２４】
上記の様にして、自分が所有する品物の商品情報を携帯電話１に記憶しておくことが出来る。商品情報が多くなり過ぎた場合には、携帯電話１内のメモリーでは十分で記憶出来ない事が発生する。その際は、携帯電話１内に挿入され、外部メモリーとして入れ替え可能なメモリーカード１−２を使用し、メモリーカード１−２に携帯電話１内のメモリーからダウンロードし携帯電話１と一緒に持ち運び可能とする。
【００２５】
次に、この商品データを用いて次の商品購入に役立てる場合に付いて、図１、図２、図８を用いて説明する。商店などに出向き、次の商品を購入する場合、各個人が自宅に所有する商品と今回購入しようとする商品が、都合よくマッチングしているかどうか、気になる。この様な場合、以前購入した商品と今回購入を考えている商品を同じ画面に映し出し、画面上で商品の組み合わせ確認を行う事により、その場で購入の判断が出来る。
【００２６】
ステップＴ−６の様に、携帯電話１のメモリーにある画像データを携帯電話１から商店にあるパソコン２へ短距離無線通信にて送信する。又は、携帯電話１からメモリーカード１−２を抜き出し、パソコン２へ挿入して目的の商品の組み合わせに必要な画像データをパソコン２へダウンロードする。ステップＰ−１の様に、パソコン２で携帯電話１から受信した画像データを画面に表示する。次に、ステップＰ−２の様に、商品管理サーバー６にパソコン２からインターネット５を介して接続し、新たに購入を希望している商品の画像データを画像情報データベース６−１からダウンロードし、パソコン１の同じ画面に表示する。
【００２７】
商店で、顧客の要望でその都度、商品管理サーバー６にパソコン２からインターネット５を介して接続しダウンロードする事ではなく、商品が店に入荷した時点で、一括して商品情報を商品管理サーバー６からパソコン２へ情報をダウンロードする事も可能である。その為には、商品が生産者から卸、百貨店などに出荷される前に、商品の画像データと製品情報を生産者が商品管理サーバー６へ、送信するシステムが必要である。このシステムに付いては、本出願では詳しく述べない。
【００２８】
次に、パソコン２の画面上に、顧客が持つ商品の画像情報と店が展示している商品の画像情報を同時に図６の様に表示する。図６の場合、例えばＴシャツ７−１を個人が所有していた場合を想定する。ステップＰ−３の様に、Ｔシャツ７−１に合うスカート又はパンツを購入しようとする際、パンツ７−３をＴシャツ７−１と一緒に画面上で、マネキンに衣装を着せたように組み合わせる。次に、スカート７−２、又はスカート７−４を選び、同じ様にＴシャツ７−１との組み合わせを確認する。
【００２９】
ステップＰ−４の様に、顧客が持つＴシャツ７−１に、店に展示されているスカート７−２、パンツ７−３、スカート７−４の中で、どれが購入者の気に入った組み合わせになっているか、パソコン２の画面上で確認する事も出来る。オンラインショッピングでも自分のパソコン２に自分の所有する品物に合った商品をインターネット５からダウンロードし上記と同じ方法で、最適な組み合わせを見つける事も可能である。
【００３０】
図７のフローチャートにより、最適な商品組み合わせを確認してからのシステムの流れに付いて、以下説明する。
ステップＰ−５の様に、より実物に近い雰囲気で商品の組み合わせを確認したい顧客に対し、パソコン２の画像データを大型ディスプレー３に送信する。そして、ステップＤ−１の様に、大型ディスプレー３で最適な商品組み合わせの画像データを表示し、購入者が確認する事が出来る。大型ディスプレー３に表示する際、商品を表示する画面背景をこの商品が使われる環境に近い、季節感のある風景写真の中で表示する等により、更にリアリティーある条件で商品の持つ特徴を確認できる。
【００３１】
最適な組み合わせが、確認出来、例えばパンツ７−３を新たに購入を希望した場合、購入を最終決定する前に、家族や友人にも商品購入に付いての意見を求めたい場合が発生する。そのニーズに応えるシステムに付いて以下説明する。
【００３２】
ステップＰ−６の様に、パソコン２の中にある購入希望者が見てもらいたい商品画像や最適な組み合わせと思える画像を商品管理サーバー６へ送信する。送信後、商品管理サーバー６の画像情報データベース６−１に記憶させ、記憶した画像データをインターネット経由アクセス可能なＵＲＬをパソコン２へ送信する。このＵＲＬを購入希望者が、ステップＴ−７の様に、携帯電話１のメール機能を利用して家族、知人の携帯電話４へ連絡する。ステップＴ−８の様に、携帯電話４でメールを受信した知人は、購入希望者からの連絡メールに従い、商品管理サーバー６へアクセスする。
【００３３】
知人の携帯電話４から商品管理サーバー６へアクセスし、画像情報データベース６−１に記憶されている購入者が見てもらいたい画像情報を携帯電話４の画面で見る。知人は、ステップＴ−９の様に、携帯電話４の画面の画像を見て、購入希望者の質問に携帯電話４にて回答する。購入希望者は知人から商品が写った画像を見て連絡された回答結果も、購入の判断の材料とする。この様な方法で、商品の画像情報を携帯電話機能を有効に活用して、貴重な意見を短時間に集める事が可能となる。
【００３４】
ステップＴ−１０の様に、購入希望者は自信を持って、商品購入の判断を行う事が出来る。購入の決定後、商店ではパソコン２にダウンロードした購入希望者から預かった商品情報をパソコン２から消去すると同時に、ステップＰ−７、Ｓ−６の様に、商品情報サーバー６に商品が販売完了の記録を残す。販売完了後、ステップＴ−１の様に、購入者から商品の画像と商品情報が商品情報サーバー６からダウンロードされる。購入後、一定期間が過ぎた後、商品情報サーバー６から商品の情報を消去する。
【００３５】
次に、複数の商品情報を１個のパソコン２の画面上で行う、ステップＰ−３の商品の組み合わせ作業をより正確に行うための手段に付いて以下図８を用いて説明する。
パソコン２の画面上に複数の商品画像データを表示できる。例えば、個人が所有する商品の画像データが図８の商品（ａ）９−１とする。この画像データの中に、商品と一緒に基準寸法を表すスケール１０を撮影すれば、商品（ａ） ９−１の各部の寸法は、スケール１０の長さが分かれば、求める事が出来る。（ｂ）の画像データにも商品（ｂ）９−２と基準寸法を表すスケール１０が写っている。同様に（ｃ）の画像データにも商品（ｃ）９−３と基準寸法を表すスケール１０が写っている。
【００３６】
次に、この（ａ）、（ｂ）、（ｃ）の３つの画像データを（ｄ）の画面に集める。その際、基準寸法を表すスケール１０の長さが、（ｄ）画面で同じ長さになるように、この（ａ）、（ｂ）、（ｃ）の３つの画像データをスケール１０の長さに応じて、縮小、拡大する。商品（ａ）９−１、商品（ｂ）９−２、商品（ｃ）９−３は同じスケールでパソコン２画面に表示される。次に、（ｅ）の画面で、商品（ａ）９−１、商品（ｂ）９−２、商品（ｃ）９−３を目的の配置になるようマウスなどを用いて移動し、商品の組み合わせを確認する。
【００３７】
上記の説明は、商品管理サーバー６内に商品情報を記憶させておく事を条件に、商品情報を携帯電話１にダウンロードして、商品購入等に役立てようとするアイデアである。しかし、商品管理サーバー６が多くの商品情報をストレージしていない場合には、利用価値が少ない。この問題を解決する為に下記の様なシステムも実施可能である。
【００３８】
図９に示す様に、自分で購入した商品の例えば商品７の写真を携帯電話１のカメラ機能を使って撮影する。撮影した画像データは携帯電話内１の記憶装置にダウンロードするか、メモリーカード１−１等の記憶媒体にダウンロードする。
【００３９】
２次元コード８を利用し、商品管理サーバー６から情報をダウンロードした場合と同じ様に、撮影した画像記憶を行う際、この購入した商品情報を活用し易くする為、携帯電話１内の記憶、保管を行う部分に、図４に示す様に、インデックスを設けておく。まず商品の名称で分類し、次に商品を購入した年月で分類しておく。画像データと一緒に図５に示すような文字情報も入力しておく事で、情報の有効活用が図れる。
【図面の簡単な説明】
【００４０】
【図１】本発明の第１の実施形態である携帯電話による商品情報保管、検索システムを示す図である。
【図２】本発明の第１の実施形態である携帯電話による商品情報保管、検索システムのフローチャートである。
【図３】本発明の第１の実施形態である携帯電話による商品情報保管、検索システムの商品に取付けた２次元コードの例を示す図である。
【図４】携帯電話煮の画面に表示する保有する商品のインデックスの一例を示す図である。
【図５】携帯電話煮の画面に表示する保有する商品情報の一例を示す図である。
【図６】パーソナルコンピュータの画面で商品画像の組み合わせを行う一例を示す図である。
【図７】本発明の第１の実施形態である携帯電話による商品情報保管、検索システムのフローチャートである。
【図８】パーソナルコンピュータの画面の基準物の寸法が同じになるよう画像データの表示寸法を行う一例を示す図である。
【図９】本発明の第２の実施形態である携帯電話による商品画像取り込みの一例を示す図である。
【符号の説明】
【００４１】
１・・携帯電話
１−１・・液晶画面
１−２・・メモリーカード
２・・パーソナルコンピュータ
３・・大型ディスプレー
４・・知人の携帯電話
５・・インターネット
６・・商品管理サーバー
６−１・・商品画像データベース
６−２・・商品情報データベース
７・・商品
８・・商品タグ
８−１・・２次元コード
８−２・・シール
９−１・・商品（ａ）
９−２・・商品（ｂ）
９−３・・商品（ｃ）
１０・・スケール
【図１】
2009277173.tif 000003
【図２】
2009277173.tif 000004
【図３】
2009277173.tif 000005
【図４】
2009277173.tif 000006
【図５】
2009277173.tif 000007
【図６】
2009277173.tif 000008
【図７】
2009277173.tif 000009
【図８】
2009277173.tif 000010
【図９】
2009277173.tif 000011